(57)【要約】【課題】薄型化により、リフレクタを含む構成の携帯性を向上させることができ、かつ被照射面へ効率良く光を供給可能とするためのリフレクタ、そのリフレクタを用いる光源装置及びプロジェクタを提供すること。【解決手段】光を射出する発光部１２と組み合わせて用いられ、発光部１２から射出した光を反射するリフレクタ１３であって、第１形状から、第１形状に対して特定方向における幅が小さい第２形状へ変形可能、かつ第２形状から第１形状へ復元可能な基材を有し、基材は、形状記憶合金を用いて構成される。【選択図】図１
2009176496.tif 000002
【特許請求の範囲】
【請求項１】
光を射出する発光部と組み合わせて用いられ、前記発光部から射出した光を反射するリフレクタであって、
第１形状から、前記第１形状に対して特定方向における幅が小さい第２形状へ変形可能、かつ前記第２形状から前記第１形状へ復元可能な基材を有することを特徴とするリフレクタ。
【請求項２】
前記基材は、形状記憶合金を用いて構成されることを特徴とする請求項１に記載のリフレクタ。
【請求項３】
前記基材に対して前記発光部が配置される側に形成され、前記発光部から射出した光を反射する反射部を有することを特徴とする請求項１又は２に記載のリフレクタ。
【請求項４】
光を射出する発光部と、
請求項１〜３のいずれか一項に記載のリフレクタと、を有することを特徴とする光源装置。
【請求項５】
請求項４に記載の光源装置と、
前記光源装置から射出した光を画像信号に応じて変調する空間光変調装置と、を有することを特徴とするプロジェクタ。
【請求項６】
少なくとも前記光源装置及び前記空間光変調装置が収納された筐体を有し、
前記筐体は、少なくとも前記光源装置が配置された部分に形成された可動部を有することを特徴とする請求項５に記載のプロジェクタ。
【発明の詳細な説明】
【技術分野】
【０００１】
本発明は、リフレクタ、光源装置及びプロジェクタ、特に、プロジェクタの光源装置に用いられるリフレクタの技術に関する。
【背景技術】
【０００２】
プロジェクタは、例えば携帯性を向上させるために、構成全体の薄型化が求められている。従来、プロジェクタの光源として使用されるランプ、例えば超高圧水銀ランプ等の放電ランプには、発光部から射出した光を反射するリフレクタが用いられている。被照射面へ効率良く光を進行させるために、リフレクタの多くは、回転曲面、例えば、楕円を回転させることで得られる回転楕円面や、放物線を回転させることで得られる回転放物面をなす形状が採用されている。リフレクタは、被照射面へ効率良く光を進行させるためには、十分な大きさを確保する必要がある。このため、プロジェクタの照明光学系の中で、特にリフレクタは、プロジェクタの薄型化の障害となる場合が多い。リフレクタを備える光源装置は、被照射面へ効率良く光を供給可能であって、かつ薄型にできることが求められる。従来、リフレクタを備える光源装置の薄型化を可能とするための技術は、例えば、特許文献１に提案されている。特許文献１に提案される技術は、円筒形状のリフレクタを用いることで、光源装置の薄型化を図ることとしている。円筒形状の円に沿って形成された複数の反射面をリフレクタの内面に設けることにより、中心軸上の位置に光を集光させる。
【０００３】
【特許文献１】特開２００７−９３９８９号公報
【発明の開示】
【発明が解決しようとする課題】
【０００４】
中心軸上の位置に光を集光させる反射面は、波形構造、例えばフレネルレンズが備えるフレネル形状をなす構造の表面に設けられる。フレネル形状をなす構造は、反射面同士の間に設けられた後向面を有する。後向面は、反射面と同様に、円筒形状の円に沿って形成されている。発光部から射出した光のうちの一部は、発光部から直接、或いは反射面で反射した後、後向面へ入射する。後向面へ入射した光は、被照射面の方向とは異なる方向へ進行することになる。このため、従来の技術によると、被照射面へ効率良く光を供給することが困難であるという問題を生じる。本発明は、上述の問題に鑑みてなされたものであり、薄型化により、リフレクタを含む構成の携帯性を向上させることができ、かつ被照射面へ効率良く光を供給可能とするためのリフレクタ、そのリフレクタを用いる光源装置及びプロジェクタを提供することを目的とする。
【課題を解決するための手段】
【０００５】
上述した課題を解決し、目的を達成するために、本発明に係るリフレクタは、光を射出する発光部と組み合わせて用いられ、発光部から射出した光を反射するリフレクタであって、第１形状から、第１形状に対して特定方向における幅が小さい第２形状へ変形可能、かつ第２形状から第１形状へ復元可能な基材を有することを特徴とする。
【０００６】
第２形状から第１形状へ復元可能であるとは、第２形状への変形前の形状と完全に同一の形状へ戻る場合に限られず、変形前の形状に近い形状へ戻る場合を含むものとする。第１形状は、発光部からリフレクタへ入射した光を被照射面の方向へ効率良く反射させることが可能な形状であるとする。リフレクタを用いた装置を稼動させる間、リフレクタを第１形状とすることにより、発光部からの光を被照射面へ効率良く進行させることができる。また、リフレクタを用いた装置の稼動を停止させる間、リフレクタは、第２形状とすることができる。特定方向における幅が小さい第２形状とすることで、リフレクタを薄型にでき、リフレクタを含む構成の携帯性を向上させることができる。これにより、薄型化により、リフレクタを含む構成の携帯性を向上させることができ、かつ被照射面へ効率良く光を供給可能とするためのリフレクタを得られる。
【０００７】
また、本発明の好ましい態様としては、基材は、形状記憶合金を用いて構成されることが望ましい。形状記憶合金を用いて構成することにより、リフレクタは、外力を加えることで第１形状から第２形状へ変形することができる。また、リフレクタは、第２形状から第１形状へ復元することができる。発光部からの熱を利用することにより、第２形状から第１形状へ、リフレクタを容易に復元することができる。
【０００８】
また、本発明の好ましい態様としては、基材に対して発光部が配置される側に形成され、発光部から射出した光を反射する反射部を有することが望ましい。これにより、発光部からリフレクタへ入射した光を効率良く被照射面の方向へ進行させることができる。
【０００９】
さらに、本発明に係る光源装置は、光を射出する発光部と、上記のリフレクタと、を有することを特徴とする。上記のリフレクタを用いることにより、薄型にでき、かつ効率良く光を供給することができる。これにより、薄型化により、光源装置を含む構成の携帯性を向上させることができ、かつ効率良く光を供給可能な光源装置を得られる。
【００１０】
さらに、本発明に係るプロジェクタは、上記の光源装置と、光源装置から射出した光を画像信号に応じて変調する空間光変調装置と、を有することを特徴とする。上記の光源装置を用いることにより、携帯性を向上させることができ、かつ効率良く光を供給することができる。これにより、携帯性に優れ、かつ明るい画像を表示可能なプロジェクタを得られる。
【００１１】
また、本発明の好ましい態様としては、少なくとも光源装置及び空間光変調装置が収納された筐体を有し、筐体は、少なくとも光源装置が配置された部分に形成された可動部を有することが望ましい。可動部は、リフレクタの変形及び復元に伴い移動させる構成にできる。これにより、筐体に収納されたリフレクタを第１形状から第２形状へ変形することによりプロジェクタを薄型とし、かつ第２形状から第１形状へリフレクタを復元させることができる。
【発明を実施するための最良の形態】
【００１２】
以下に図面を参照して、本発明の実施例を詳細に説明する。
【実施例１】
【００１３】
図１は、本発明の実施例１に係る光源装置１０の斜視構成を示す。光源装置１０は、発光管１１を有する。発光管１１は、例えば、超高圧水銀ランプである。発光管１１は、光を射出する発光部１２を有する。発光部１２は、光源装置１０の中心軸ＡＸ上に配置されているとする。Ｘ軸は、中心軸ＡＸに直交する軸である。Ｙ軸は、中心軸ＡＸ及びＸ軸に直交する軸である。Ｚ軸は、中心軸ＡＸに平行な軸である。
【００１４】
リフレクタ１３は、中心軸ＡＸの周囲に設けられている。リフレクタ１３は、発光部１２から射出した光を不図示の被照射面へ向けて反射する。被照射面は、光源装置１０から図中Ｚ軸の矢印方向へ進行した光が入射する位置に設けられている。Ｚ軸の矢印方向は、光源装置１０から被照射面へ向かう光の進行方向である。リフレクタ１３は、凹形状をなしている。凹形状の開口は、光源装置１０から被照射面へ向けて光を射出する側へ向けられている。
【００１５】
図２は、リフレクタ１３が第１形状であるときの光源装置１０のＹＺ断面構成を模式的に表したものである。図示するＹＺ断面は、中心軸ＡＸを含む。リフレクタ１３は、図示する断面において、中心軸ＡＸに略平行な長軸を備える楕円の一部と略同じ形状をなしている。リフレクタ１３の第１形状は、中心軸ＡＸを中心として楕円の一部を回転させることにより得られる回転楕円面と略同じ形状である。発光部１２は、かかる楕円を定義する焦点の一つである第１焦点に配置されている。リフレクタ１３は、かかる楕円の第２焦点へ向けて光を集光させる。
【００１６】
リフレクタ１３は、基材１４及び反射膜１５を有する。基材１４は、形状記憶合金であるニッケル−チタン合金を用いて構成されている。基材１４は、例えば、１ｍｍ程度以下の厚みを持たせて構成されている。基材１４は、例えばプレス加工により形成される。反射膜１５は、発光部１２から射出した光を反射する反射部として機能する。反射膜１５は、基材１４に対して発光部１２が設けられる側に形成されている。反射膜１５は、高反射性部材、例えばアルミニウム部材を用いて構成されている。リフレクタ１３は、反射膜１５を設けることにより、発光部１２からリフレクタ１３へ入射した光を効率良く被照射面の方向へ進行させることができる。
【００１７】
図３は、第１形状であるリフレクタ１３のうち、開口が設けられた側のＸＹ平面構成を示す。図３に示す平面構成において、リフレクタ１３は、略円形状をなしている。第１形状は、発光部１２からリフレクタ１３へ入射した光を被照射面の方向へ効率良く反射させることが可能な形状である。リフレクタ１３は、第１形状であるときのＹ軸方向の幅は、例えば３６〜４０ｍｍである。
【００１８】
図４は、第２形状であるリフレクタ１３のうち、開口が設けられた側のＸＹ平面構成を示す。第２形状は、Ｙ軸方向について回転楕円面を圧縮させた形状と略同じ形状をなしている。図４に示す平面構成において、リフレクタ１３は、略楕円形状をなしている。リフレクタ１３が第２形状であるとき、特定方向であるＹ軸方向におけるリフレクタ１３の幅は、第１形状であるときに比較して小さくなる。リフレクタ１３を構成する基材１４及び反射膜１５は、回転楕円面と略同じ形状である第１形状から、第１形状に対してＹ軸方向における幅が小さい第２形状へ変形可能、かつ第２形状から第１形状へ復元可能に構成されている。リフレクタ１３は、第２形状であるときのＹ軸方向の幅は、例えば２５ｍｍである。
【００１９】
光源装置１０の稼動を停止させる間、リフレクタ１３は、第２形状とすることができる。リフレクタ１３は、外力によりＹ軸方向についてリフレクタ１３を押圧することにより、リフレクタ１３は、第１形状から第２形状へ変形する。Ｙ軸方向における幅が小さい第２形状とすることで、リフレクタ１３を薄型にできる。リフレクタ１３を薄型にできることにより、光源装置１０を含む構成の携帯性を向上させることができる。
【００２０】
光源装置１０の稼動を開始する際に、リフレクタ１３は、第２形状から第１形状へ復元させる。形状記憶合金は、形状を記憶させるための熱処理を施しておくと、所定温度より低い温度で変形させた場合に、その所定温度以上の温度とすることにより元の形状に復元する。第２形状から第１形状への復元には、例えば、発光部１２からの光の射出に伴って発生する熱を利用する。リフレクタ１３は、形状記憶合金を用いて構成することにより、第２形状から第１形状へ容易に復元することができる。なお、本実施例において、第２形状から第１形状への復元は、第２形状への変形前の形状と完全に同一の形状へ戻る場合に限られず、変形前の形状に近い形状へ戻る場合を含むものとする。少なくとも変形前の形状に近い形状へ復元可能であれば、発光部１２から射出した光を効率良く被照射面の方向へ進行させることが可能となる。
【００２１】
図５は、第１形状のリフレクタ１３を用いる場合における、発光部１２からの光の振舞いを説明するものである。ここでは、光源装置１０から射出した光を凹レンズ１６へ入射させるものとして説明する。凹レンズ１６の光軸は、光源装置１０の中心軸ＡＸと略一致している。発光部１２から射出した光は、リフレクタ１３の内面の全体へ向けて放射する。楕円の第１焦点から射出し、反射膜１５で反射した光は、楕円の第２焦点へ向けて進行する。第１焦点に発光部１２を設けることにより、リフレクタ１３から中心軸ＡＸ上の第２焦点へ向かう方向へ効率良く光を進行させることができる。凹レンズ１６は、光源装置１０から第２焦点へ向かう方向へ進行した光を平行化させる。光源装置１０は、リフレクタ１３により第２焦点へ向かう方向へ効率良く光を進行させることにより、凹レンズ１６から不図示の被照射面へ効率良く光を進行させることができる。
【００２２】
以上により、光源装置１０の稼動を停止させる間はリフレクタ１３を薄型とすることにより、光源装置１０を含む構成の携帯性を向上させることができ、かつ光源装置１０を稼動する際には被照射面へ効率良く光を供給することができるという効果を奏する。
【００２３】
基材１４は、ニッケル−チタン合金を用いて構成される場合に限られない。基材１４は、他の形状記憶合金、例えば、鉄系形状記憶合金である鉄−マンガン−ケイ素合金を用いて構成することとしても良い。リフレクタ１３は、高反射性部材を用いて基材１４を構成することが可能であれば、反射膜１５を省略することとしても良い。リフレクタ１３の第１形状は、回転楕円面と略同じ形状である場合に限られず、回転放物面と略同じ形状や、自由曲面形状であっても良い。第１形状、第２形状におけるリフレクタ１３のＹ軸方向の幅は、光源装置１０を適用する装置の構成に応じて適宜決定される。第２形状であるときのＹ軸方向の幅は、例えば、プロジェクタに用いられる空間光変調装置のサイズに応じて適宜決定される。
【実施例２】
【００２４】
図６は、本発明の実施例２に係るプロジェクタ２０の概略構成を示す。プロジェクタ２０は、不図示のスクリーンへ光を投写し、スクリーンで反射する光を観察することで画像を鑑賞するフロント投写型のプロジェクタである。プロジェクタ２０は、上記実施例１に係る光源装置１０を有する。光源装置１０は、赤色（Ｒ）光、緑色（Ｇ）光、青色（Ｂ）光を含む光を射出する。凹レンズ１６は、光源装置１０から射出した光を平行化させる。第１インテグレータレンズ２１及び第２インテグレータレンズ２２は、アレイ状に配列された複数のレンズ素子を有する。第１インテグレータレンズ２１は、凹レンズ１６からの光束を複数に分割する。第１インテグレータレンズ２１の各レンズ素子は、凹レンズ１６からの光束を第２インテグレータレンズ２２のレンズ素子近傍にて集光させる。第２インテグレータレンズ２２のレンズ素子は、第１インテグレータレンズ２１のレンズ素子の像を空間光変調装置上に形成する。
【００２５】
２つのインテグレータレンズ２１、２２を経た光は、偏光変換素子２３にて特定の振動方向の直線偏光に変換される。重畳レンズ２４は、第１インテグレータレンズ２１の各レンズ素子の像を空間光変調装置上で重畳させる。第１インテグレータレンズ２１、第２インテグレータレンズ２２及び重畳レンズ２４は、光源装置１０からの光の強度分布を空間光変調装置上にて均一化させる。重畳レンズ２４からの光は、第１ダイクロイックミラー２５に入射する。第１ダイクロイックミラー２５は、Ｒ光を反射し、Ｇ光及びＢ光を透過させる。第１ダイクロイックミラー２５へ入射したＲ光は、第１ダイクロイックミラー２５、反射ミラー２６でそれぞれ光路が折り曲げられ、Ｒ光用フィールドレンズ２７Ｒへ入射する。Ｒ光用フィールドレンズ２７Ｒは、反射ミラー２６からのＲ光を平行化し、Ｒ光用空間光変調装置２８Ｒへ入射させる。
【００２６】
Ｒ光用空間光変調装置２８Ｒは、Ｒ光を画像信号に応じて変調する空間光変調装置であって、透過型液晶表示装置である。Ｒ光用空間光変調装置２８Ｒに設けられた不図示の液晶パネルは、２つの透明基板の間に、光を画像信号に応じて変調するための液晶層を封入している。Ｒ光用空間光変調装置２８Ｒで変調されたＲ光は、色合成光学系であるクロスダイクロイックプリズム２９へ入射する。
【００２７】
第１ダイクロイックミラー２５を透過したＧ光及びＢ光は、第２ダイクロイックミラー３０へ入射する。第２ダイクロイックミラー３０は、Ｇ光を反射し、Ｂ光を透過させる。第２ダイクロイックミラー３０へ入射したＧ光は、第２ダイクロイックミラー３０で光路が折り曲げられ、Ｇ光用フィールドレンズ２７Ｇへ入射する。Ｇ光用フィールドレンズ２７Ｇは、第２ダイクロイックミラー３０からのＧ光を平行化し、Ｇ光用空間光変調装置２８Ｇへ入射させる。Ｇ光用空間光変調装置２８Ｇは、Ｇ光を画像信号に応じて変調する空間光変調装置であって、透過型液晶表示装置である。Ｇ光用空間光変調装置２８Ｇで変調されたＧ光は、クロスダイクロイックプリズム２９のうちＲ光が入射する面とは異なる面へ入射する。
【００２８】
第２ダイクロイックミラー３０を透過したＢ光は、リレーレンズ３１を透過した後、反射ミラー３２での反射により光路が折り曲げられる。反射ミラー３２からのＢ光は、さらにリレーレンズ３３を透過した後、反射ミラー３４での反射により光路が折り曲げられ、Ｂ光用フィールドレンズ２７Ｂへ入射する。Ｒ光の光路及びＧ光の光路よりもＢ光の光路が長いことから、空間光変調装置における照明倍率を他の色光と等しくするために、Ｂ光の光路には、リレーレンズ３１、３３を用いるリレー光学系が採用されている。
【００２９】
Ｂ光用フィールドレンズ２７Ｂは、反射ミラー３４からのＢ光を平行化し、Ｂ光用空間光変調装置２８Ｂへ入射させる。Ｂ光用空間光変調装置２８Ｂは、Ｂ光を画像信号に応じて変調する空間光変調装置であって、透過型液晶表示装置である。Ｂ光用空間光変調装置２８Ｂで変調されたＢ光は、クロスダイクロイックプリズム２９のうちＲ光が入射する面、Ｇ光が入射する面とは異なる面へ入射する。
【００３０】
クロスダイクロイックプリズム２９は、互いに略直交する２つのダイクロイック膜３５、３６を有する。第１ダイクロイック膜３５は、Ｒ光を反射し、Ｇ光及びＢ光を透過させる。第２ダイクロイック膜３６は、Ｂ光を反射し、Ｒ光及びＧ光を透過させる。クロスダイクロイックプリズム２９は、それぞれ異なる方向から入射したＲ光、Ｇ光及びＢ光を合成し、投写レンズ３７の方向へ射出する。投写レンズ３７は、クロスダイクロイックプリズム２９で合成された光をスクリーンの方向へ投写する。筐体３８は、光源装置１０からクロスダイクロイックプリズム２９までの光路中に設けられた各構成を収納する。
【００３１】
図７は、プロジェクタ２０の稼動を停止させた状態における筐体３８及び光源装置１０を模式的に表したものである。図８は、プロジェクタ２０を稼動させた状態における筐体３８及び光源装置１０を模式的に表したものである。ここでは、説明に不要な構成の図示を省略するものとする。筐体３８は、第１可動部４１及び第２可動部４２を有する。第１可動部４１及び第２可動部４２は、筐体３８のうち光源装置１０が配置された部分に形成された可動部である。第１可動部４１は、筐体３８の上面の一部に設けられている。第２可動部４２は、筐体３８の下面の一部に設けられている。第１可動部４１の周囲、及び第２可動部４２の周囲には、伸縮部４３が設けられている。伸縮部４３は、例えば蛇腹構造を用いることにより伸縮する。
【００３２】
第１可動部４１は、伸縮部４３を伸張させることにより、筐体３８の上面より高い位置に移動する。また、第１可動部４１は、伸縮部４３を収縮させることにより、筐体３８の上面と同じ高さの位置に移動する。第２可動部４２は、伸縮部４３を伸張させることにより、筐体３８の下面より低い位置に移動する。また、第２可動部４２は、伸縮部４３を収縮させることにより、筐体３８の下面と同じ高さの位置に移動する。このようにして、伸縮部４３は、図中上下方向（高さ方向）について、第１可動部４１及び第２可動部４２を移動させる。伸縮部４３は、蛇腹構造を用いるものに限られず、伸縮可能な他の構造を用いるものであっても良い。
【００３３】
図７に示すようにプロジェクタ２０の稼動を停止させた状態において、リフレクタ１３は、第２形状をなしている。このとき、第１可動部４１は、筐体３８の上面と同じ高さにある。第２可動部４２は、筐体３８の下面と同じ高さにある。高さ方向において、第１可動部４１及び第２可動部４２の間の空間の幅は、第２形状であるリフレクタ１３の幅と略一致している。また、筐体３８のうち光源装置１０が設けられた部分以外の部分も、上面及び下面の間の空間の幅は、第２形状であるリフレクタ１３の幅と略一致している。
【００３４】
プロジェクタ２０の稼動を開始する際に、第１可動部４１は、筐体３８の上面より高い位置に移動する。第２可動部４２は、筐体３８の下面より低い位置に移動する。第１可動部４１及び第２可動部４２の移動により、第１可動部４１及び第２可動部４２の間の空間の幅は、第１形状であるリフレクタ１３の高さ方向における幅と略一致するまで広げられる。リフレクタ１３は、第１可動部４１及び第２可動部４２の間の空間において、第２形状から第１形状へ復元する。このようにして、図８に示す状態となる。第１可動部４１及び第２可動部４２は、リフレクタ１３の復元力により移動することとしても良く、リフレクタ１３の形状が復元する前に予め移動することとしても良い。
【００３５】
図８に示すようにプロジェクタ２０を稼動させる状態において、リフレクタ１３は、第１形状をなしている。光源装置１０は、プロジェクタ２０を稼動させる間、リフレクタ１３を第１形状とすることにより、効率良く光を供給することができる。プロジェクタ２０は、光源装置１０からの光を用いて明るい画像を表示することができる。
【００３６】
プロジェクタ２０の稼動を停止させた後、第１可動部４１は、筐体３８の上面と同じ高さの位置に移動する。第２可動部４２は、筐体３８の下面と同じ高さの位置に移動する。第１可動部４１及び第２可動部４２の移動により、第１可動部４１及び第２可動部４２の間の空間の幅は、第２形状であるリフレクタ１３の幅と略一致するまで縮められる。リフレクタ１３は、第１可動部４１及び第２可動部４２の間の空間において、第１形状から第２形状へ変形する。このようにして、図７に示す状態に戻る。
【００３７】
リフレクタ１３は、第１可動部４１及び第２可動部４２を介して、リフレクタ１３の復元力より強い外力が加えられることにより、第１形状から第２形状へ変形する。第１可動部４１及び第２可動部４２を介したリフレクタ１３の変形は、人力により行うこととしても良く、モータ等の駆動手段を用いて行うこととしても良い。また、図７に示す状態から、リフレクタ１３の復元力による第１可動部４１及び第２可動部４２の押し出しを防ぐためのストッパ機構を設けることとしても良い。第１可動部４１及び第２可動部４２は、プロジェクタ２０の稼動を停止させた直後に移動する他、光源装置１０の冷却のための時間を確保した後に移動することとしても良い。リフレクタ１３を十分冷却することにより、リフレクタ１３の復元力を弱めさせることが可能となる。
【００３８】
光源装置１０は、プロジェクタ２０の稼動を停止させる間、リフレクタ１３を第２形状とすることにより、薄型とすることができる。これにより、プロジェクタ２０は、筐体３８全体を薄型にでき、携帯性を向上させることができる。プロジェクタ２０は、リフレクタ１３を第１形状から第２形状へ変形可能、かつ第２形状から第１形状へ復元可能であれば良く、本実施例で説明する構成である場合に限られない。例えば、可動部は、筐体３８のうち少なくとも光源装置１０が配置された部分に形成されていれば良く、光源装置１０が配置された部分より広い部分に形成することとしても良い。
【００３９】
本発明に係るプロジェクタ２０は、空間光変調装置として透過型液晶表示装置を用いる場合に限られない。空間光変調装置としては、反射型液晶表示装置（Liquid  Crystal  On  Silicon；ＬＣＯＳ）、ＤＭＤ（Digital  Micromirror  Device）、ＧＬＶ（Grating  Light  Valve）等を用いても良い。プロジェクタ２０は、色光ごとに空間光変調装置を備える構成に限られない。プロジェクタ２０は、一の空間光変調装置により２つ又は３つ以上の色光を変調する構成としても良い。プロジェクタ２０は、空間光変調装置を用いる場合に限られない。プロジェクタ２０は、画像情報を持たせたスライドを用いるスライドプロジェクタであっても良い。本発明に係る光源装置は、プロジェクタ２０に用いるものに限られない。光源装置は、例えば、懐中電灯等の照明機器や、自動車のヘッドライト等に適用しても良い。
【産業上の利用可能性】
【００４０】
以上のように、本発明に係るリフレクタは、プロジェクタの光源装置に用いる場合に適している。
【図面の簡単な説明】
【００４１】
【図１】本発明の実施例１に係る光源装置の斜視構成を示す図。
【図２】光源装置のＹＺ断面構成を模式的に表した図。
【図３】第１形状であるリフレクタのＸＹ平面構成を示す図。
【図４】第２形状であるリフレクタのＸＹ平面構成を示す図。
【図５】発光部からの光の振舞いを説明する図。
【図６】本発明の実施例２に係るプロジェクタの概略構成を示す図。
【図７】プロジェクタの稼動を停止させた状態について説明する図。
【図８】プロジェクタを稼動させた状態について説明する図。
【符号の説明】
【００４２】
１０  光源装置、１１  発光管、１２  発光部、１３  リフレクタ、ＡＸ  中心軸、１４  基材、１５  反射膜、１６  凹レンズ、２０  プロジェクタ、２１  第１インテグレータレンズ、２２  第２インテグレータレンズ、２３  偏光変換素子、２４  重畳レンズ、２５  第１ダイクロイックミラー、２６  反射ミラー、２７Ｒ  Ｒ光用フィールドレンズ、２７Ｇ  Ｇ光用フィールドレンズ、２７Ｂ  Ｂ光用フィールドレンズ、２８Ｒ  Ｒ光用空間光変調装置、２８Ｇ  Ｇ光用空間光変調装置、２８Ｂ  Ｂ光用空間光変調装置、２９  クロスダイクロイックプリズム、３０  第２ダイクロイックミラー、３１、３３  リレーレンズ、３２、３４  反射ミラー、３５  第１ダイクロイック膜、３６  第２ダイクロイック膜、３７  投写レンズ、３８  筐体、４１  第１可動部、４２  第２可動部、４３  伸縮部
【図１】
2009176496.tif 000003
【図２】
2009176496.tif 000004
【図３】
2009176496.tif 000005
【図４】
2009176496.tif 000006
【図５】
2009176496.tif 000007
【図６】
2009176496.tif 000008
【図７】
2009176496.tif 000009
【図８】
2009176496.tif 000010